(57)【要約】【課題】音楽データや映像データ等のコンテンツを再生・出力しながら、再生・出力中のコンテンツの先頭からに遡って記録媒体に簡単に記録する。【解決手段】ヘッドホン部３０は、リモコン部３１から再生指示がなされた場合、装置本体５４から出力される音楽データのアナログ再生信号をスピーカ１，３に出力しながら圧縮し暗号化してメモリカード２に記録し、その記録開始からその音楽データの曲の切れ目を示す区切り信号が装置本体３４から供給されるまでの間にリモコン部３１から記録指示がなされた場合、その曲をメモリカード２へ記録完了した後、その曲を暗号化したときの暗号鍵をメモリカード２に記録し、再生を開始してからその曲の切れ目を示す区切り信号が装置本体３４から供給されるまでの間にリモコン部３１から記録指示がなされなかった場合、メモリカード２に記録したその曲のデータを削除する。【選択図】　　　図２
2004056503.tif 000002
【特許請求の範囲】
【請求項１】
コンテンツを再生したアナログ再生信号と、前記コンテンツの切れ目を認識させるための区切り信号とを出力する装置本体と、
前記装置本体と接続され、前記装置本体を制御するための操作手段を有するリモコン部と、
前記リモコン部及び前記装置本体と接続され、前記装置本体から出力される前記アナログ再生信号を圧縮し暗号化して記録媒体に記録する記録手段と、前記装置本体から出力される前記アナログ再生信号あるいは前記記録媒体に記録されたコンテンツを復号し伸張して得た再生信号をスピーカより出力する出力手段とを有する再生部とからなり、
前記記録媒体は、前記アナログ再生信号を圧縮し暗号化してコンテンツとして記録するユーザーファイルシステム領域と、当該コンテンツの暗号化時に使用した暗号鍵を暗号化して記録するプロテクテッドファイルシステム領域とを含み、前記ユーザーファイルシステム領域と前記プロテクテッドファイルシステム領域はそれぞれ、ファイルの蓄積位置や位置の連なりを示すファイル管理情報を記録するファイル管理領域とファイルの実データを記録するデータ領域とを有し、前記ユーザーファイルシステム領域に記録された前記コンテンツは前記プロテクテッドファイルシステム領域に記録された当該コンテンツの暗号化時に使用した前記暗号鍵を用いて復号されることで再生可能となり、
前記再生部は、前記リモコン部から前記装置本体に再生指示がなされた場合、その再生指示に応じて前記装置本体から出力される前記コンテンツを再生したアナログ再生信号を前記出力手段から出力しながら、当該アナログ再生信号を圧縮し暗号化して前記記録媒体の前記ユーザーファイルシステム領域に記録し、その記録を開始してから当該コンテンツの切れ目を示す区切り信号が前記装置本体から供給されるまでの間に前記リモコン部から記録指示がなされた場合、当該コンテンツの前記ユーザーファイルシステム領域への記録完了後、当該コンテンツの前記暗号化時に使用した暗号鍵を前記記録媒体の前記プロテクテッドファイルシステム領域に記録し、前記記録を開始してから当該コンテンツの切れ目を示す区切り信号が前記装置本体から供給されるまでの間に前記リモコン部から記録指示がなされなかった場合、前記記録媒体の前記ユーザーファイルシステム領域に記録した当該コンテンツを前記ユーザーファイルシステム領域から削除すること
を特徴とするコンテンツ記録再生装置。
【発明の詳細な説明】
【０００１】
【発明の属する技術分野】
本発明は、音楽データや映像データ等のコンテンツを記録し再生する装置に関する。
【０００２】
【従来の技術】
半導体技術の進歩により、大容量のメモリカードが登場し、長い時間の音楽情報を圧縮して記録することができるようになってきた。例えば、６４ＭバイトのメモリカードにＭＰ３（ＭＰＥＧ−１　Ａｕｄｉｏ　Ｌａｙｅｒ−３）により圧縮して記録すると、約１時間分の音楽データを記録することができる。最近では、５１２Ｍバイトのメモリカードも市販されており、将来的には１枚のメモリカードに数百曲分の音楽データを記録できるようになると予測されている。このようなメモリカードに音楽データを記録するときには、パーソナルコンピュータにメモリカードの書き込み装置（メモリカード・ライター）を接続して書き込むのが一般的である。
【０００３】
一方、ＣＤ（Ｃｏｍｐａｃｔ　Ｄｉｓｃ）やＭＤ（Ｍｉｎｉ　Ｄｉｓｃ）等の記録媒体に記録された音楽データを再生するための再生装置（ＣＤプレーヤーやＭＤプレーヤー等）には、ワイヤを介してリモコン（遠隔操作装置）やヘッドホンが接続されている。このようなリモコンには、何曲目の何分何秒を再生しているかを表示する機能が備えられており、ＣＤやＭＤ等に音楽データと共に記録されているサブコード情報を再生時に読み出してリモコンに送ることで表示可能にしている。
【０００４】
同様に、ＦＭ文字多重放送（ＦＭ　Ｍｕｌｔｉｐｌｅｘ　Ｔｅｌｅｃａｓｔｉｎｇ）においては、オンエア中の曲のタイトルや演奏者等の情報を文字多重データとして放送することが行われており、ＦＭ文字多重放送の受信機はこの文字多重データを受信し復号して、オンエア中の曲のタイトル等を受信機の表示部に表示させることができる。
【０００５】
さらに、テレビやラジオのデジタル放送においても、オンエア中の曲や映像のタイトル等の情報をデータ放送により配信し、受信機側に表示させることができるようになっており、このようなデータ放送は衛星放送のみならず、地上波デジタル放送としても近い将来サービスが開始される予定である。
【０００６】
【発明が解決しようとする課題】
ところで、パーソナルコンピュータにメモリカード・ライターを接続し、メモリカードに音楽情報等を書き込む際には、ユーザーが予め記録の準備をし、記録したい曲の再生前に記録指示をするような仕組みになっており、曲を聴いている途中で急に思い立って、その再生中の曲を録音するといったことはできなかった。つまり、再生中の曲を記録したい場合には、その曲の先頭に遡って改めて録音する必要があった。
【０００７】
本発明は、このような課題を解決するためになされたものであり、その目的は、音楽データや映像データ等のコンテンツを再生しスピーカ等に出力しながら、そのコンテンツの先頭からに遡って記録媒体に簡単に記録することができるコンテンツ記録再生装置を提供することにある。
【０００８】
【課題を解決するための手段】
本発明によるコンテンツ記録再生装置は、コンテンツを再生したアナログ再生信号と、前記コンテンツの切れ目を認識させるための区切り信号とを出力する装置本体と、前記装置本体と接続され、前記装置本体を制御するための操作手段を有するリモコン部と、前記リモコン部及び前記装置本体と接続され、前記装置本体から出力される前記アナログ再生信号を圧縮し暗号化して記録媒体に記録する記録手段と、前記装置本体から出力される前記アナログ再生信号あるいは前記記録媒体に記録されたコンテンツを復号し伸張して得た再生信号をスピーカより出力する出力手段とを有する再生部とからなり、前記記録媒体は、前記アナログ再生信号を圧縮し暗号化してコンテンツとして記録するユーザーファイルシステム領域と、当該コンテンツの暗号化時に使用した暗号鍵を暗号化して記録するプロテクテッドファイルシステム領域とを含み、前記ユーザーファイルシステム領域と前記プロテクテッドファイルシステム領域はそれぞれ、ファイルの蓄積位置や位置の連なりを示すファイル管理情報を記録するファイル管理領域とファイルの実データを記録するデータ領域とを有し、前記ユーザーファイルシステム領域に記録された前記コンテンツは前記プロテクテッドファイルシステム領域に記録された当該コンテンツの暗号化時に使用した前記暗号鍵を用いて復号されることで再生可能となり、前記再生部は、前記リモコン部から前記装置本体に再生指示がなされた場合、その再生指示に応じて前記装置本体から出力される前記コンテンツを再生したアナログ再生信号を前記出力手段から出力しながら、当該アナログ再生信号を圧縮し暗号化して前記記録媒体の前記ユーザーファイルシステム領域に記録し、その記録を開始してから当該コンテンツの切れ目を示す区切り信号が前記装置本体から供給されるまでの間に前記リモコン部から記録指示がなされた場合、当該コンテンツの前記ユーザーファイルシステム領域への記録完了後、当該コンテンツの前記暗号化時に使用した暗号鍵を前記記録媒体の前記プロテクテッドファイルシステム領域に記録し、前記記録を開始してから当該コンテンツの切れ目を示す区切り信号が前記装置本体から供給されるまでの間に前記リモコン部から記録指示がなされなかった場合、前記記録媒体の前記ユーザーファイルシステム領域に記録した当該コンテンツを前記ユーザーファイルシステム領域から削除することを特徴とする。
【０００９】
このような構成によれば、再生部は、装置本体から出力されるコンテンツを再生したアナログ再生信号を出力手段に出力しながら、当該アナログ再生信号を圧縮し暗号化して記録媒体のユーザーファイルシステム領域に常に記録し、その記録途中でリモコン部から当該コンテンツの記録指示がなされた場合には、当該コンテンツはそのままユーザーファイルシステム領域に記録し続け、当該コンテンツのユーザーファイルシステム領域への記録完了後、当該コンテンツの暗号化時に使用した暗号鍵を暗号化して前記プロテクテッドファイルシステム領域に記録する。これにより、記録媒体のユーザーファイルシステム領域に記録されたコンテンツは、プロテクテッドファイルシステム領域に記録された当該コンテンツの暗号化時に使用した暗号鍵を用いて復号されることで再生可能となる。従って、コンテンツを出力手段に出力している途中においても、その出力中のコンテンツの先頭からに遡って記録媒体に簡単に記録し、記録したコンテンツを後から再生・出力することができる。
【００１０】
一方、当該コンテンツのユーザーファイルシステム領域への記録を開始してから当該コンテンツの切れ目を示す区切り信号が前記装置本体から供給されるまでの間にリモコン部から記録指示がなされなかった場合、前記ユーザーファイルシステム領域に記録した当該コンテンツを前記ユーザーファイルシステム領域から削除する。
【００１１】
ここで、「コンテンツ」とは、音楽データや映像データ等をデジタルまたはアナログ信号化したものをいう。「再生部」は、音楽データを再生し出力する場合には音声信号を音に変えるスピーカ等を有するヘッドホンなどの音響装置であり、映像データを再生し出力する場合には映像信号を表示出力する表示装置である。「出力手段」は、音楽データを出力する場合にはスピーカであり、映像データを出力する場合には、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等のディスプレイである。
【００１２】
また、「記録媒体」は、メモリカードやＭＤ等の磁気的記録媒体や、ＣＤ等の光学的記録媒体などが含まれる。
【００１３】
コンテンツの切れ目を認識するための「区切り信号」は、例えば音楽データの場合には、ＣＤやＭＤに記録されている音楽データの曲の切れ目を認識するサブコード、ＦＭ文字多重放送における文字多重データ、デジタル放送における識別子情報などによる。また、コンテンツが、例えば、ＶＨＳ方式のビデオデータの場合には、テープに記録された頭出し用の信号であるＶＩＳＳ（ＶＨＳ　Ｉｎｄｅｘ　Ｓｅａｒｃｈ　Ｓｙｓｔｅｍ）信号を、区切り信号としても良い。このように、区切り信号はアナログ再生信号に付随する曲の切れ目の情報をデジタル的に出力できる手段がある装置であれば、どのような信号でも良い。
【００１４】
また、「圧縮」とは、高能率符号化を目的とした音楽データや映像データの圧縮符号化をいい、「伸張」とは、圧縮された音楽データや映像データの圧縮を解くこと（復元すること）をいう。「暗号化」とは、コピープロテクション等を目的とした公開鍵暗号方式や秘密鍵暗号方式等によるデータの暗号化をいい、「復号」とは暗号化されたデータを、暗号鍵を用いて復号すること（暗号を解くこと）をいう。
【００１５】
【発明の実施の形態】
以下、図１〜図８を参照しながら、本発明の実施の形態について詳しく説明する。尚、各図面を通じて同一もしくは同等の部位や構成要素には、同一もしくは同等の参照符号を付し、その説明を省略もしくは簡略化する。
【００１６】
本発明に係るコンテンツ記録再生装置は、例えば図１に示すようなオーディオ装置に適用することができる。
【００１７】
［オーディオ装置の構成］
図１に示すように、本実施形態におけるオーディオ装置は、ヘッドホン部３０，リモコン部３１，装置本体５４等を備え、ＣＤプレーヤあるいはＭＤプレーヤ、もしくはＦＭ文字多重放送受信機あるいはデジタル放送受信機として構成される。
【００１８】
装置本体５４のジャック５５にリモコン部３１の入力プラグ４を接続することで、装置本体５４とリモコン部３１とはケーブル３３を介して接続され、リモコン部３１とヘッドホン部３０とはケーブル３２を介して接続される。
【００１９】
リモコン部３１は、各種情報を表示するためのＬＣＤ（Ｌｉｑｕｉｄ　Ｃｒｙｓｔａｌ　Ｄｉｓｐｌａｙ）表示パネル６３や、装置本体５４及びヘッドホン部３０を制御するための操作部であるスイッチ６６を有する。尚、表示パネルに用いられる表示素子はＬＣＤに限らず、エレクトロルミネッセンス（ＥＬ）素子等、他の表示素子でも良い。
【００２０】
ヘッドホン部３０は、左耳用のスピーカ部３，右耳用のスピーカ部１を有し、右耳用のスピーカ部１には、操作用のスイッチ５と、装置本体５４から出力されるアナログ再生信号を圧縮し暗号化して記録するためのメモリカード２を装着するメモリカードＩ／Ｆ１３を有する。スピーカ部１、３は、装置本体５４から出力されるアナログ再生信号あるいはメモリカード２に記録された音楽データを出力する出力手段である。
【００２１】
装置本体５４は、音楽データを再生したアナログ再生信号と、それに付随する曲の切れ目を認識させるための区切り信号とを、ケーブル３３、３２を介してリモコン部３１とヘッドホン部３０に出力する。区切り信号はリモコン部３１で別の区切り信号に変換されることがある。例えば装置本体５４からリモコン部３１に対しては、曲の再生中に常時通知されるＣＤのサブコード情報の様な曲の番号と再生時間であって、曲の番号が変わったことにより区切り信号と認識できるようになっている。一方、リモコン部３１からヘッドホン部３０に対しては、実際に曲が変わったときだけに出力されるシリアル信号上の特定のコマンド列であっても良い。つまり、区切り信号の中身のデータや伝達の形態は問わないが、曲が変化したことが通知できれば良い。
【００２２】
本オーディオ装置がＣＤプレーヤあるいはＭＤプレーヤとして構成される場合には、ＣＤやＭＤ等の記録媒体に音楽データと共に記録されているサブコード情報を取得し、それをアナログ再生信号と共にデジタル出力することで、ヘッドホン部３０及びリモコン部３１では曲の切れ目を認識することができ、また、リモコン部３１のＬＣＤ表示パネル６３にその曲のタイトルや経過時間等を表示することができる。本オーディオ装置がＦＭ文字多重放送あるいはデジタル放送として構成される場合にも、オンエア中の曲のタイトル情報等をデータとして受信することができ、受信したデータに基づいて区切り信号をケーブル３３、３２を介してリモコン部３１とヘッドホン部３０に出力する。具体的には、曲のタイトルが変わった、あるいはタイトルがなくなった、もしくはタイトルがない状態からある状態に変化した等の状況変化をトリガーとして、曲の切れ目である区切り信号を出力することができる。
【００２３】
ヘッドホン部３０は、このあと詳述するが、リモコン部３１から再生指示がなされた場合、その再生指示に応じて装置本体５４から出力される音楽データのアナログ再生信号をスピーカ部１，３から出力しながら、当該アナログ再生信号をデジタル信号に変換（サンプリング、量子化）し、圧縮し暗号化してメモリカード２に記録し、その記録を開始してからその曲の切れ目を示す区切り信号が装置本体５４から供給されるまでの間にリモコン部３１から記録指示がなされた場合、その曲をメモリカード２へ記録完了した後、その曲の暗号化時に使用した暗号鍵をメモリカード２に記録し、その曲の記録を開始してからその曲の切れ目を示す区切り信号が装置本体５４から供給されるまでの間にリモコン部３１から記録指示がなされなかった場合、メモリカード２に記録したその曲を削除する。
【００２４】
［ヘッドホン部とリモコン部の構成］
図２は、図１に示したオーディオ装置のうち、ヘッドホン部３０及びリモコン部３１の内部構成を示すブロック図である。
【００２５】
リモコン部３１は、ＣＰＵ（Ｃｅｎｔｒａｌ　Ｐｒｏｃｅｓｓｉｎｇ　Ｕｎｉｔ）６０、シリアルＩ／Ｆ６１，６７、ＬＣＤコントローラ６２、ＬＣＤ表示パネル６３、ＲＡＭ（Ｒａｎｄｏｍ　Ａｃｃｅｓｓ　Ｍｅｍｏｒｙ）６４、ＲＯＭ（Ｒｅａｄ　Ｏｎｌｙ　Ｍｅｍｏｒｙ）６５、スイッチ６６，及びこれらを接続するＣＰＵバス６９などを有する。ＣＰＵ６０は、リモコン部３１全体を制御するプロセッサであり、ＲＯＭ６５はＣＰＵ６０にて動作されるプログラムが格納されており、ＲＡＭ６４はプログラム実行時のワークエリアとして用いられる。ＬＣＤ表示パネル６３は、ＬＣＤコントローラ６２を介してＣＰＵバス６９に接続されており、ＣＰＵ６０からＬＣＤコントローラ６２のレジスタにデータを書き込むことで、ＬＣＤ表示パネル６３に文字や画像等を表示することができる。ＣＰＵ６０は、シリアルＩ／Ｆ６７を介してシリアル信号線６８と入力プラグ４を経由して装置本体５４のＣＰＵ（図示せず）と接続し通信を行う。また、ＣＰＵ６０は、シリアルＩ／Ｆ６１を介してシリアル信号線２５を経由してヘッドホン部３０のＣＰＵ２０と接続し通信を行う。尚、図２においては、双方向の信号が時分割、周波数分割などによる多重化がなされる１本のシリアル信号線６８，２５で構成される例を示しているが、これに限定されず、方向別の２本のシリアル信号線で構成することもできる。
【００２６】
ヘッドホン部３０は、スピーカ部１，３、スイッチ５、電池１０、アンプ１１、ＣＰＵバス１２、メモリカードＩ／Ｆ１３、圧縮・暗号化回路１４、ＡＤコンバータ（Ａｎａｌｏｇ−Ｄｉｇｉｔａｌ　Ｃｏｎｖｅｒｔｅｒ）１５、ＤＡコンバータ（Ｄｉｇｉｔａｌ−Ａｎａｌｏｇ　Ｃｏｎｖｅｒｔｅｒ）１６、復号・伸張回路１７、ＲＡＭ１８、ＲＯＭ１９、ＣＰＵ２０、シリアルＩ／Ｆ２１、切替スイッチ２２、などを有する。メモリカードＩ／Ｆ１３は、メモリカード２を装着するカードスロットとＣＰＵバス１２を介してＣＰＵ２０からのアクセス制御を行うインタフェース回路とを含む。電池１０は、ヘッドホン部３０全体の回路の電源となり、この電池１０は１次電池でも２次電池でも良いが、２次電池の場合にはヘッドホン部３０内に別途充電回路（図示せず）が含まれていても良い。また、入力プラグ３４を介して装置本体５４から電源が供給されていても良い。
【００２７】
ＣＰＵバス１２には、ヘッドホン部３０全体の制御を行うＣＰＵ２０、ＣＰＵ２０にて実行されるプログラムを格納するＲＯＭ１９、プログラム実行時のワークエリアとして用いられるＲＡＭ１８、圧縮・暗号化回路１４、復号・伸張回路１７、スイッチ５、メモリカードＩ／Ｆ１３、シリアルＩ／Ｆ２１が接続され、各部に対してＣＰＵ２０からアクセス制御等が可能に構成されている。
【００２８】
［メモリカードの構成］
図８に示すように、メモリカード２には、ユーザーファイルシステム８０で管理される領域と、プロテクテッドファイルシステム９０で管理される領域とから構成される。ユーザーファイルシステム８０は、通常のファイルを管理するファイルシステムであり、ファイル管理情報８１、ユーザーファイル８２１、ユーザーファイル８２２、…、ユーザーファイル８２ｎが格納される。プロテクテッドファイルシステム９０は、暗号化に用いられる非公開の暗号鍵ファイルを格納・管理するファイルシステムであり、ファイル管理情報９１、プロテクテッドファイル９２１、プロテクテッドファイル９２２、…、プロテクテッドファイル９２ｎが格納される。
【００２９】
１つのユーザーファイル（例えばユーザーファイル８２１）が１つの音楽データ（１つの曲）に対応し、当該音楽データのアナログ再生信号は圧縮され暗号化されて記録される。このとき、当該アナログ再生信号の暗号化時に使用された暗号鍵がさらに暗号化されてプロテクテッドファイル（例えばプロテクテッドファイル９２１）として記録される。暗号化に用いられる暗号鍵は、曲毎に異なる暗号鍵が用いられ、１つのユーザーファイルと１つのプロテクテッドファイルが対になって初めて１つの音楽データが完結し、復号・伸張・再生が可能となる。
【００３０】
尚、ファイル管理情報８１，９１は、ユーザーファイルとプロテクテッドファイルを管理するためのディレクトリ情報やファイルのチェーン構造を定義するテーブル（例えば、ＦＡＴ：Ｆｉｌｅ　Ａｌｌｏｃａｔｉｏｎ　Ｔａｂｌｅ）である。
【００３１】
［オーディオ装置の処理動作］
ヘッドホン部３０では、メモリカード２に記録されている音楽データを再生し出力する処理動作、入力プラグ４を経由して装置本体５４から入力する音楽データのアナログ再生信号を圧縮し暗号化してメモリカード２に記録する処理動作、入力プラグ４を経由して装置本体５４から入力する音楽データのアナログ再生信号を圧縮し暗号化してメモリカード２に記録しながら、装置本体５４から入力する音楽データのアナログ再生信号をスピーカ１，３から出力する処理動作の、３つの処理動作を行う。以下、これら３つの場合の動作を順に説明する。
【００３２】
図３は、メモリカード２に記録されている音楽データを再生し出力する際のヘッドホン部３０による処理動作例を示す動作の流れの概念図である。
【００３３】
まず、メモリカードＩ／Ｆ１３にメモリカード２が装着され、ヘッドホン部３０のスイッチ５またはリモコン部３１のスイッチ６６による再生指示操作がなされると、ＣＰＵ２０は再生指示操作がなされたことを検知する（ステップＳ００１）。リモコン部３１のスイッチ６６による再生指示操作がなされた場合には、スイッチ６６→ＣＰＵ６０→シリアルＩ／Ｆ６１→シリアル信号線２５→シリアルＩ／Ｆ２１→ＣＰＵ２０という流れで（この後もこれと同じ情報の伝達方法が出てくるが、以後はＣＰＵ６０からシリアル信号線２５を経由してＣＰＵ２０に伝達されると省略する。）ＣＰＵ２０は、再生指示操作がなされたことを検知する。
【００３４】
次に、ＣＰＵ２０は、メモリカード２のユーザーファイルシステム８０からメモリカードＩ／Ｆ１３を介して音楽データを読み始め、読み出した音楽データはＲＡＭ１８に一旦蓄積される（ステップＳ００２）。
【００３５】
次に、ＣＰＵ２０は、復号・伸張回路１７からの要求に応じて、ＲＡＭ１８に蓄積されたデータを復号・伸張回路１７に転送する。そして、復号・伸張回路１７は、メモリカード２のプロテクテッドファイルシステム９０からメモリカードＩ／Ｆ１３を介して当該音楽データの暗号鍵を読み出し、ＲＡＭ１８に転送された音楽データを暗号鍵を用いて復号し、復号の結果として得られた圧縮された音楽データを伸張して、ＰＣＭ（Ｐｕｌｓｅ　Ｃｏｄｅｄ　Ｍｏｄｕｌａｔｉｏｎ）音声信号に戻し、ＤＡコンバータ１６に送出する（ステップＳ００３）。
【００３６】
ＤＡコンバータ１６は、ＰＣＭ音声信号をアナログ再生信号に変換してアンプ１１に送り（ステップＳ００４）、アンプ１１はアナログ再生信号を増幅して（ステップＳ００５）、増幅されたアナログ再生信号がスピーカ部１，３から出力される（ステップＳ００６）。尚、実際はステップＳ００２からステップＳ００６の動作は、音声を連続的に出力するために同時にパイプライン的に動作している。
【００３７】
図４は、入力プラグ４を経由して装置本体５４から入力する音楽データのアナログ再生信号を圧縮し暗号化してメモリカード２に記録する際の、ヘッドホン部３０による処理動作例を示す動作の流れの概念図である。
【００３８】
まず、メモリカードＩ／Ｆ１３にメモリカード２が装着され、ヘッドホン部３０のスイッチ５またはリモコン部３１のスイッチ６６による記録指示操作がなされると、ＣＰＵ２０は記録指示操作がなされたことを検知する（ステップＳ１００）。図３と同じく、スイッチ６６による指示の場合は、ＣＰＵ６０からシリアル信号線２５を介してＣＰＵ２０に伝達される。
【００３９】
次に、ＣＰＵ２０は、装置本体５４から入力プラグ４と音声入力線２４を介してアナログ再生信号を入力し、入力したアナログ再生信号はＡＤコンバータ１５に順次送られる（ステップＳ１０１）。尚、図２に示す例では、１本の音声入力線２４により構成される例を示しているが、ステレオ方式の音声信号を入力するように２本の音声入力線２４により構成されるようにしても良い。
【００４０】
ＡＤコンバータ１５は、入力したアナログ再生信号をサンプリング、量子化しデジタル信号に変換し、圧縮・暗号化回路１４に転送する（ステップＳ１０３）。
【００４１】
圧縮・暗号化回路１４は、ＡＤコンバータ１５にてデジタル信号化された音楽データを所定の圧縮方式で圧縮し（ステップＳ１０４）、さらに圧縮された音楽データを暗号鍵を用いて暗号化する（ステップＳ１０５）。尚、圧縮方式としては様々な方式が想定されるが、例えば、ＭＰ３や、ＡＡＣ（Ａｄｖａｎｃｅｄ　Ａｕｄｉｏ　Ｃｏｄｉｎｇ）、ＷＭＡ（Ｗｉｎｄｏｗｓ　Ｍｅｄｉａ　Ａｕｄｉｏ）等の圧縮方式を用いる。また、暗号化方式についても特に限定されず、例えば、メモリカード２がＳＤメモリカード（Ｓｅｃｕｒｅ　Ｄｉｇｉｔａｌ　Ｍｅｍｏｒｙ　Ｃａｒｄ）である場合には、ＣＰＲＭ（Ｃｏｐｙ　Ｐｒｏｔｅｃｔｉｏｎ　ｆｏｒ　Ｒｅｃｏｒｄ−ａｂｌｅ　Ｍｅｄｉａ）方式などによる暗号化処理が施される。尚、実際はステップＳ１０１からステップＳ１０６の動作は、音声を連続的に出力するために同時にパイプライン的に動作している。
【００４２】
圧縮・暗号化回路１４にて圧縮され暗号化された音楽データは、ＣＰＵ２０によりＣＰＵバス１２を介して読み込まれ、メモリカードＩ／Ｆ１３を介してメモリカード２のユーザーファイルシステム８０に書き込まれ、この音楽データの暗号化時に使用された暗号鍵もメモリカードＩ／Ｆ１３を介してメモリカード２のプロテクテッドファイルシステム９０に書き込まれる（ステップＳ１０５）。尚、ＣＰＵバス１２を介して圧縮・暗号化回路１４から読み込んだ音楽データと暗号鍵を一旦ＲＡＭ１８に蓄積するようにしても良いし、ＤＭＡ（Ｄｉｒｅｃｔ　Ｍｅｍｏｒｙ　Ａｃｃｅｓｓ）回路を用いてメモリカードＩ／Ｆ１３に転送するようにしても良い。
【００４３】
図５は、入力プラグ４を経由して装置本体５４から入力する音楽データのアナログ再生信号を圧縮し暗号化してメモリカード２に記録しながら、装置本体５４から入力する音楽データのアナログ再生信号をスピーカ１，３から出力する際の、ヘッドホン部３０による処理動作例を示す動作の流れの概念図である。
【００４４】
まず、メモリカードＩ／Ｆ１３にメモリカード２が装着され、ヘッドホン部３０のスイッチ５またはリモコン部３１のスイッチ６６による記録指示操作がなされると、ＣＰＵ２０は記録指示操作がなされたことを検知する（ステップＳ２００）。図３と同じく、スイッチ６６による指示の場合は、ＣＰＵ６０からシリアル信号線２５を介してＣＰＵ２０に伝達される。
【００４５】
ＣＰＵ２０は、装置本体５４から入力プラグ４と音声入力線２４を介して音楽データアナログ再生信号を入力し、入力したアナログ再生信号はＡＤコンバータ１５に順次送られる（ステップＳ２０１）。
【００４６】
ＡＤコンバータ１５は、入力したアナログ再生信号をサンプリング、量子化しデジタル信号に変換し、圧縮・暗号化回路１４に転送する（ステップＳ２０２）。
【００４７】
圧縮・暗号化回路１４は、ＡＤコンバータ１５にてデジタル信号化された音楽データを所定の圧縮方式で圧縮し（ステップＳ２０３）、さらに圧縮後の音楽データを暗号鍵を使用して暗号化する（ステップＳ２０４）。
【００４８】
圧縮・暗号化回路１４にて圧縮され暗号化された音楽データは、ＣＰＵ２０によりＣＰＵバス１２を介して読み込まれ、メモリカードＩ／Ｆ１３を介してメモリカード２のユーザーファイルシステム８０に書き込まれ、この音楽データの暗号化時に使用された暗号鍵もメモリカードＩ／Ｆ１３を介してメモリカード２のプロテクテッドファイルシステム９０に書き込まれる（ステップＳ２０５）。
【００４９】
その一方で、圧縮・暗号化回路１４により圧縮された音楽データは、復号・伸張回路１７に転送され、復号・伸張回路１７は、転送された暗号化済みの音楽データを、ステップＳ２０４の処理において当該音楽データを暗号化したときに使用した暗号鍵を用いて復号し、復号の結果として得られた圧縮された音楽データを伸張して、ＰＣＭ（Ｐｕｌｓｅ　Ｃｏｄｅｄ　Ｍｏｄｕｌａｔｉｏｎ）音声信号に戻し、ＤＡコンバータ１６に送出する（ステップＳ２０６）。
【００５０】
ＤＡコンバータ１６は、ＰＣＭ音声信号をアナログ再生信号に変換してアンプ１１に送り（ステップＳ２０７）、アンプ１１はアナログ再生信号を増幅して（ステップＳ２０８）、増幅されたアナログ再生信号がスピーカ１，３から出力される（ステップＳ２０９）。このとき、ＣＰＵ２０からのスイッチ制御２３により、切替スイッチ２２が図２に示す下側の接点に切り替えられる。
【００５１】
尚、ＣＰＵ２０からのスイッチ制御２３により、切替スイッチ２２が図２に示すように上側の接点に接続されていると、音声入力線２４から入力されるアナログ再生信号が直接スピーカ部１，３に出力される。切換スイッチ２２は電源がＯＦＦの場合、または電池が切れている場合には、この場合と同様に上側の接点に切り替わり、入力プラグ４からの入力がそのままヘッドホンスピーカ１，３を直接駆動する。これにより、電源が切れている場合でも通常のヘッドホンとして動作する。
【００５２】
以上、図３〜図５を参照しながら、オーディオ装置の処理動作例について説明したが、次に、図６〜図７を参照しながら、入力プラグ４を経由して装置本体５４から入力するアナログ再生信号を、メモリカード２に記録しながらスピーカ部１，３から出力する際のリモコン部３１とヘッドホン部３０のＣＰＵ６０のそれぞれの処理動作例についてさらに詳細に説明する。
【００５３】
図６は、リモコン部３１の処理動作例を示すフローチャートであり、電源がＯＮになるのをトリガーとして本処理が開始される（ステップＳ３０１）。
【００５４】
まず、リモコン部３１のＣＰＵ６０は、スイッチ６６にて再生指示がなされたか否かを監視している（ステップＳ３０２）。
【００５５】
ＣＰＵ６０は、スイッチ６６により再生指示がなされるまで監視を続け、スイッチ６６により再生指示がなされたら、装置本体５４に対してシリアルＩ／Ｆ６７を介して再生指示の情報を送る。装置本体５４は、再生処理を開始し、区切り信号をシリアル信号線６８を経由してリモコン部３１へ送り、アナログ再生信号を音声入力線２４を経由してヘッドホン部３０に送る。
【００５６】
リモコン部３１のＣＰＵ６０は、区切り信号を検出すると、その情報をさらにシリアル信号線２５を経由してヘッドホン部３０に送る（ステップＳ３０３）。尚、曲の再生開始時も区切り目に相当することから、その時も装置本体５４
から区切り信号を送る。
【００５７】
次に、リモコン部３１のＣＰＵ６０は、スイッチ６６により記録指示操作がなされたか否かを監視する（ステップＳ３０４）。
【００５８】
そして、スイッチ６６により記録指示操作がなされたことを検知した場合には、ＣＰＵ６０は、記録指示の情報をシリアル信号線２５を経由してヘッドホン部３０に送る（ステップＳ３０５）。
【００５９】
一方、スイッチ６６により記録指示操作がなされたことを検知しない場合、リモコン部３１のＣＰＵ６０は、シリアルＩ／Ｆ６７を介して装置本体５４から区切り信号が到来されたかどうか判定し（ステップＳ３０６）、その曲の区切り信号が装置本体５４から到来された場合、ステップＳ３０３の処理に戻る。
【００６０】
逆に、ステップＳ３０３において区切り信号が装置本体５４から到来しない場合、次に、リモコン部３１のＣＰＵ６０は、スイッチ６６により停止指示操作がなされたか否かを確認する（ステップＳ３０７）。そして、停止指示操作がなされた場合には停止指示の情報を、シリアルＩ／Ｆ６７を介して装置本体５４とシリアル信号線２５を経由してヘッドホン部３０に送り、その後、ステップＳ３０４の処理へ戻る（ステップＳ３０８）。停止指示操作がなされない場合には、Ｓ３０２の処理へ戻る。
【００６１】
このように、１つの音楽データをスピーカ部１，３から出力しながらメモリカード２に記録している間は、リモコン部３１のＣＰＵ６０は、その曲の切れ目を示す区切り信号が装置本体５４から供給されるか、スイッチ６６により停止指示操作がなされるまで、ステップＳ３０４→ステップＳ３０６→ステップＳ３０７→ステップＳ３０４→…の各処理を繰り返し実行し、その曲の切れ目を示す区切り信号がシリアルＩ／Ｆ６７を介して装置本体５４から供給されるまでの間に、スイッチ６６により記録指示操作がなされると、ステップＳ３０５の処理を実行する。
【００６２】
図７は、ヘッドホン部３０のＣＰＵ２０の処理動作例を示すフローチャートであり、電源がＯＮになるのをトリガーとして本処理が開始される（ステップＳ４０１）。
【００６３】
まず、ヘッドホン部３０のＣＰＵ２０は、シリアル信号線２５を経由してリモコン部３１のＣＰＵ６０から区切り信号が供給されたか否かを確認する（ステップＳ４０２）。区切り信号が供給されるまでは、このステップＳ４０２の処理を繰り返す。
【００６４】
シリアル信号線２５を経由してリモコン部３１のＣＰＵ６０から区切り信号が供給されると、次にヘッドホン部３０のＣＰＵ２０は、音声入力線２４を経由して装置本体５４から送られてくる、音楽データを再生したアナログ再生信号を圧縮し、暗号鍵を使用して暗号化してメモリカード２のユーザーファイルシステム８０に記録しはじめる（ステップＳ４０３）。具体的には、既に説明したように、音声入力線２４を経由して送られてくる音楽データを、圧縮・暗号化回路１４にて圧縮し、暗号鍵を使用して暗号化しながらＲＡＭ１８を経由して、メモリカードＩ／Ｆ１３に装着されたメモリカード２のユーザーファイルシステム８０内に１つのユーザーファイル（例えばユーザーファイル８２１）として記録し始める。尚、この段階では、プロテクテッドファイルシステム９０内には、この暗号化時に用いた暗号鍵をプロテクテッドファイル（例えばプロテクテッドファイル９２１）として書き込んでいないため、これだけではユーザーファイル（例えばユーザーファイル８２１）を再生しようとしても再生できない。
【００６５】
次に、ヘッドホン部３０のＣＰＵ２０は、シリアル信号線２５を経由してリモコン部３１のＣＰＵ６０から記録指示の情報が送られてきたか否かを確認する（ステップＳ４０４）。この間もアナログ再生信号を圧縮、暗号化しながらユーザーファイル８２１に記録しつづけている。
【００６６】
記録指示の情報が送られてきた場合には、次に、ヘッドホン部３０のＣＰＵ２０は、シリアル信号線２５を経由してリモコン部３１のＣＰＵ６０から区切り信号が送られてきたか否かを確認する（ステップＳ４０５）。そして、区切り信号が送られてきた場合には、メモリカード２のユーザーファイルシステム８０内に記録していた曲をユーザーファイルとして確定し、再度ステップＳ４０３の処理に戻る（ステップＳ４０６）。具体的には、音楽データを圧縮し暗号鍵を使用して暗号化しながら、曲の最後まで音楽データをユーザーファイルシステム８０のユーザーファイル（例えばユーザーファイル８２１）に書き込むと共に、当該音楽データの暗号化時に使用した暗号鍵をプロテクテッドファイルシステム９０のプロテクテッドファイルとして書き込む。
【００６７】
一方、ステップＳ４０５における確認の結果、曲の区切り信号が送られてこない場合には、次に、ヘッドホン部３０のＣＰＵ２０は、シリアル信号線２５を経由してリモコン部３１のＣＰＵ６０から停止指示の情報が送られてきたか否かを確認し（ステップＳ４０７）、停止指示の情報が送られてきていない場合、再度ステップＳ４０５の処理に戻る。
【００６８】
ステップＳ４０７における確認の結果、停止指示の情報が送られてきた場合には、記録中のその音楽データのメモリカード２への記録は結局必要なかったと判断し、メモリカード２のユーザーファイルシステム８０に記録していた当該曲のユーザーファイルを削除して、再度ステップＳ４０２の処理に戻る（ステップＳ４０８）。
【００６９】
また、ステップＳ４０４における確認の結果、記録指示の情報が送られてこない場合、シリアル信号線２５を経由してリモコン部３１のＣＰＵ６０から区切り信号が送られてきたか否かを確認する（ステップＳ４０９）。そして、区切り信号が送られてきた場合には、記録中のその音楽データのメモリカード２への記録は結局必要なかったと判断し、メモリカード２のユーザーファイルシステム８０に記録していた当該曲のユーザーファイル（例えばユーザーファイル８２１）を削除して、再度ステップＳ４０３の処理に戻る（ステップＳ４１０）。
【００７０】
一方、ステップＳ４０９における確認の結果、区切り信号が送られてこない場合には、ヘッドホン部３０のＣＰＵ２０は、シリアル信号線２５を経由してリモコン部３１のＣＰＵ６０から停止指示の情報が送られてきたか否かを確認する（ステップＳ４１１）。そして、停止指示の情報が送られてきていない場合、再度ステップＳ４０４の処理に戻る。
【００７１】
逆に、ステップＳ４１１における確認の結果、停止指示の情報が送られてきた場合には、スピーカ部１，３から出力中のその音楽データのメモリカード２への記録は結局必要なかったと判断し、メモリカード２のユーザーファイルシステム８０に記録していた当該曲のユーザーファイルを削除して、再度ステップＳ４０２の処理に戻る（ステップＳ４１２）。
【００７２】
このように、ヘッドホン部３０は、初めに区切り信号が送られてきて（ステップＳ４０２）音楽データの記録を始めてからは（ステップＳ４０３）、ステップＳ４０４→ステップＳ４０９→ステップＳ４１１→ステップＳ４０４→…という処理手順でループしており、その間、曲を圧縮し暗号化しながら、メモリカード２に記録し続けている。そして、シリアル信号線２５を経由してリモコン部３１のＣＰＵ６０から記録指示の情報が送られることなく、そのまま曲の切れ目を示す区切り信号が送られてくると、ステップＳ４０９→ステップＳ４１０→ステップＳ４０３と移行し、メモリカード２のユーザーファイルシステム８０に記録していたその曲のユーザーファイル（例えばユーザーファイル８２１）は削除される。また、この間にシリアル信号線２５を経由してリモコン部３１のＣＰＵ６０から停止指示の情報が送られてきた場合には、ステップＳ４１１→ステップＳ４１２→ステップＳ４０１と移行し、やはり記録していたその曲のユーザーファイル（例えばユーザーファイル８２１）は削除される。
【００７３】
一方、区切り信号が送られてきて（ステップＳ４０２）曲の記録を始め（ステップＳ４０３）、ステップＳ４０４→ステップＳ４０９→ステップＳ４１１→ステップＳ４０４→…という処理手順でループしている間に、シリアル信号線２５を経由してリモコン部３１のＣＰＵ６０から記録指示の情報が送られてきた場合には、ステップＳ４０４からステップＳ４０５に移行し、その後ステップＳ４０５→ステップＳ４０７→ステップＳ４０５→ステップＳ４０７→…という処理手順でループする。そして、そのまま曲の切れ目を示す区切り信号がシリアル信号線２５を経由してリモコン部３１のＣＰＵ６０から送られてくると、ステップＳ４０５→ステップＳ４０６→ステップＳ４０３と処理を移行し、ここで初めて、メモリカード２のユーザーファイルシステム８０に記録していたその曲のデータがユーザーファイルとして確定され、それと共に当該音楽データの暗号化時に使用した暗号鍵がプロテクテッドファイルシステム９０のプロテクテッドファイルとして（例えばプロテクテッドファイル９２１）として記録される。また、この間にシリアル信号線２５を経由してリモコン部３１のＣＰＵ６０から停止指示の情報が送られてきた場合には、ステップＳ４０７→ステップＳ４０８→ステップＳ４０１と移行し、やはりメモリカード２のユーザーファイルシステム８０に記録していたその曲のユーザーファイルは削除される。
【００７４】
つまり、スピーカ部１，３から出力中の音楽データをユーザーファイルとし、その音楽データの暗号化時に使用された暗号鍵のプロテクテッドファイルとして対でメモリカード２に記録されるシーケンスは、スピーカ部１，３から出力中の音楽データの曲をメモリカード２に記録している途中でシリアル信号線２５を経由してリモコン部３１のＣＰＵ６０から記録指示の情報が送られてきた場合であって、さらにその後、シリアル信号線２５を経由してリモコン部３１のＣＰＵ６０からその曲の切れ目を示す区切り信号が送られてきた場合ということになる。既に説明したように、シリアル信号線２５を経由してリモコン部３１のＣＰＵ６０から曲の切れ目を示す区切り信号が送られてきた場合とは、シリアル信号線６８を経由して装置本体５４から曲の切れ目を示す区切り信号が供給されてきた場合（図６におけるステップＳ３０６→ステップＳ３０３）に相当し、シリアル信号線２５を経由してリモコン部３１のＣＰＵ６０から曲の記録指示の情報が送られてきた場合とは、リモコン部３１のスイッチ６６にて記録指示の操作がなされた場合（図６におけるステップＳ３０４→ステップＳ３０５）に相当する。従って、スピーカ部１，３から出力中の音楽データをユーザーファイルとして、その音楽データの暗号化時に使用された暗号鍵のプロテクテッドファイルとして対でメモリカード２に記録されるシーケンスは、スピーカ部１，３から出力中の音楽データの曲をメモリカード２に記録している途中でリモコン部３１のスイッチ６６にて記録指示の操作がなされ、その後シリアル信号線６８を経由して装置本体５４から曲の切れ目を示す区切り信号が供給されてきた場合ということになる。
【００７５】
ここで、メモリカード２に音楽データを書き込む処理の流れをさらに詳細に説明する。
【００７６】
ステップＳ４０３におけるメモリカード２に音楽データの記録を始めるステップでは、ユーザーファイル８２１としてメモリカード２にファイルを作成し、作成したユーザーファイルに追加書き（ａｐｐｅｎｄ）にて、スピーカ部１，３から出力中の音楽データを記録していく。一般に、ファイルとしてデータを書き込むと、それに対応してユーザーファイルシステム８０のファイル管理情報８１も書き変わる。すなわち、データを書き込むにつれて、ファイル管理情報８１に含まれるそのファイルの長さは長くなっていき、書き込んだデータの記録位置を示す情報も追加されていく。つまり、ここでの音楽データの記録とは、音楽データの実体がユーザーファイル８２１として記録されていくだけでなく、そのファイル管理情報８１も更新されていくという意味である。
【００７７】
ステップＳ４０８，Ｓ４１０，Ｓ４１２における、メモリカード２に記録していたユーザーファイル８２１を削除するということは、ユーザーファイルシステム８０でのファイル削除を意味する。通常のファイルシステムの場合、ファイルを削除する場合には、ファイル管理情報８１においてそのファイルが存在しないという状態にし、ファイルのデータが格納されている実エリア自体は削除しない。従って、この場合、ユーザーファイル８２１自体は削除しなくても、ファイル管理情報８１においてユーザーファイル８２１が存在しないという状態にすれば、その音楽データは無いことになる。
【００７８】
次に、ステップＳ４０６においてメモリカード２に記録していたユーザーファイル８２１を確定するということは、まず、ユーザーファイルシステム８０でのユーザーファイル８２１への音楽データの書き込みを終了する。これは、ファイルの実体をユーザーファイル８２１に書き込むと共に、それを管理するファイル管理情報８１も更新することを意味する。その後、その音楽データを暗号化するにあたって使用した暗号鍵を、プロテクテッドファイルシステム９０のプロテクテッドファイル９２１として書き込む。これは、暗号鍵の実データをプロテクテッドファイル９２１に書き込むことと、それに合わせてプロテクテッドファイルシステム９０のファイル管理情報９１も更新することを意味する。
【００７９】
以上、本発明の実施の形態について詳細に説明したように、装置本体５４から出力される音楽データのアナログ再生信号をスピーカ部１，３から出力しながら、その音楽データを圧縮し、暗号鍵を使用して暗号化してメモリカード２に常に記録し、その記録途中でその曲の記録指示がなされた場合には、その音楽データはそのままメモリカード２のユーザーファイルシステム８０に記録され、その音楽データの暗号化時に使用された暗号鍵もメモリカード２のプロテクテッドファイルシステム９０に書き込まれる。その音楽データの記録途中でその曲の記録指示がなされなかった場合には、その曲のファイルはメモリカード２ユーザーファイルシステム８０から削除される。つまり、例えば、ＣＤやＭＤに録音されている音楽データを聴きながら、その音楽データをヘッドホン内のメモリカード２に常に記録し、記録途中で記録指示の操作をすると、その音楽データはメモリカード２に記録されたまま残り、記録途中で記録指示の操作をしないと次の音楽データの切り替わり目で、記録していたその音楽データはメモリカード２から削除される。従って、音楽データの曲を聴いている途中で記録したいと思ったときでも、その曲の先頭からに遡って音楽データをメモリカード２に簡単に記録することができる。
【００８０】
尚、本実施の形態では、音楽データの記録・再生をモデルに説明したが、本発明の技術的思想は他のコンテンツ、例えば映像データの記録・再生にも適用することができる。
【００８１】
また、装置本体５４とリモコン部３１とヘッドホン部３０とを、シリアル信号線２５，６８と音声入力線２４とを含む有線ケーブル３２，３３にて接続する例を示したが、これら各部の接続の一部もしくは全部を、ＢｌｕｅｔｏｏｔｈやＩＥＥＥ８０２．１１ａやＩＥＥＥ８０２．１１ｂ等の無線によって接続し送受信するように構成しても良い。
【００８２】
また、例えば、リモコン部３１やヘッドホン部３０の記録指示のスイッチ５，６６を１回押すと記録指示がなされ、２回押すと記録指示がキャンセルされるように設定しても良いし、あるいは、記録指示のスイッチ５，６６を押す回数に応じてユーザーの嗜好度を設定できるようにしても良い。
【００８３】
さらに、図２の圧縮暗号化回路１４や復号伸張回路１７の機能の一部または全部を、ＣＰＵ２０で動作するソフトウェアで行っても良い。
【００８４】
このように、本発明は、その精神または主要な特徴から逸脱することなく、他の色々な形で実施することができる。そのため、前述の実施例はあらゆる点で単なる例示に過ぎず、限定的に解釈してはならない。本発明の範囲は、特許請求の範囲によって示すものであって、明細書本文には何ら拘束されない。さらに、特許請求の範囲の均等範囲に属する変形や変更は、全て本発明の範囲内のものである。
【００８５】
【発明の効果】
本発明によれば、音楽データや映像データ等のコンテンツをスピーカ等に出力しながら、そのコンテンツの先頭からに遡って記録媒体に簡単に記録することができる。つまりコンテンツを試しに聞いたり、見たりして、途中で面白いと思った時に記録の判断をしても、その先頭に遡って最初から記録をすることができる。
【図面の簡単な説明】
【図１】本発明の一実施形態におけるオーディオ装置の構成例を示す模式図である。
【図２】図１に示したオーディオ装置のうち、リモコン部とヘッドホン部の内部構成例を示すブロック図である。
【図３】図１及び図２に示したオーディオ装置において、メモリカードに記録されている音楽データを再生し出力する際のヘッドホン部による処理動作例を示す動作の流れの概念図である。
【図４】図１及び図２に示したオーディオ装置において、入力プラグを経由して装置本体から入力する音楽データのアナログ再生信号を圧縮し暗号化してメモリカードに記録する際のヘッドホン部による処理動作例を示す動作の流れの概念図である。
【図５】図１及び図２に示したオーディオ装置において、入力プラグを経由して装置本体から入力する音楽データのアナログ再生信号を圧縮し暗号化してメモリカードに記録しながら、装置本体から入力する音楽データのアナログ再生信号をスピーカから出力する際のヘッドホン部による処理動作例を示す動作の流れの概念図である。
【図６】図５に示した処理動作において、リモコン部による詳細な処理動作例を示すフローチャートである。
【図７】図５に示した処理動作において、ヘッドホン部による詳細な処理動作例を示すフローチャートである。
【図８】図１及び図２に示したオーディオ装置において、メモリカードのファイル管理方式を例示する模式図である。
【符号の説明】
１…スピーカ部
３…スピーカ部
２…メモリカード
４…入力プラグ
５…スイッチ
１０…電池
１１…アンプ
１２…ＣＰＵバス
１３…メモリカードＩ／Ｆ
１４…圧縮・暗号化回路
１５…ＡＤコンバータ
１６…ＤＡコンバータ
１７…復号・伸張回路
１８…ＲＡＭ
１９…ＲＯＭ
２０…ＣＰＵ
２１…シリアルＩ／Ｆ
２２…切替スイッチ
２３…スイッチ制御
２４…音声入力線
２５…シリアル信号線
３０…ヘッドホン部
３１…リモコン部
３２…ケーブル
３３…ケーブル
５４…装置本体
５５…ジャック
６０…ＣＰＵ
６１…シリアルＩ／Ｆ
６２…ＬＣＤコントローラ
６３…ＬＣＤ表示パネル
６４…ＲＡＭ
６５…ＲＯＭ
６６…スイッチ
６７…シリアルＩ／Ｆ
６８…シリアル信号線
６９…ＣＰＵバス
８０…ユーザーファイルシステム
８１…ファイル管理情報
８２１…ユーザーファイル
８２ｎ…ユーザーファイル
９０…プロテクテッドファイルシステム
９１…ファイル管理情報
９２１…プロテクテッドファイル
９２ｎ…プロテクテッドファイル
【図１】
2004056503.tif 000003
【図２】
2004056503.tif 000004
【図３】
2004056503.tif 000005
【図４】
2004056503.tif 000006
【図５】
2004056503.tif 000007
【図６】
2004056503.tif 000008
【図７】
2004056503.tif 000009
【図８】
2004056503.tif 000010